(57)【要約】【課題】  放電空間内においてエキシマ放電を発生させて真空紫外光を放射するエキシマランプにおいて、放電空間に曝される放電容器の内表面領域に紫外線反射膜を形成しても、拡散反射機能の損失による真空紫外光の利用効率の低下が生じる恐れのないエキシマランプを提供すること。【解決手段】  放電容器２は端面５によって封止され、少なくとも一方の端面５において、当該端面５から放電空間Ｓの内方に離間した位置に内壁板６が設けられ、内壁板６の少なくとも放電空間Ｓの中央部側の表面に紫外線反射膜１０が形成されていることを特徴とする。【選択図】  図１
2009230868.tif 000002
【特許請求の範囲】
【請求項１】
放電空間を有するシリカガラスよりなる放電容器を備え、前記放電容器の放電空間に曝される表面に紫外線反射膜が形成され、当該放電容器を形成するシリカガラスが介在する状態で一対の電極が設けられると共に、放電空間内にキセノンガスが封入されてなり、前記放電空間においてエキシマ放電を発生させるエキシマランプにおいて、
前記放電容器は端面によって封止され、少なくとも一方の端面において、当該端面から放電空間の内方に離間した位置に内壁板が設けられ、前記内壁板の少なくとも放電空間の中央部側の表面に紫外線反射膜が形成されていることを特徴とするエキシマランプ。
【請求項２】
前記放電容器は、内側管と外側管とが同軸方向に配置された二重管構造の石英ガラスよりなり、表面に紫外線反射膜が形成された支持板が前記放電空間に設けられていることを特徴とする請求項１に記載のエキシマランプ。
【請求項３】
前記紫外線反射膜は、シリカ粒子を含む紫外線散乱粒子により構成されることを特徴とする請求項１または請求項２に記載のエキシマランプ。
【請求項４】
前記紫外線散乱粒子には、アルミナ粒子が含まれることを特徴とする請求項３に記載のエキシマランプ。
【発明の詳細な説明】
【技術分野】
【０００１】
本発明は、石英ガラスよりなる放電容器を備え、当該放電容器を形成する石英ガラスが介在する状態で一対の電極が設けられてなり、前記放電容器の内部にエキシマ放電を発生させるエキシマランプに関する。
【背景技術】
【０００２】
近年、金属、ガラス、その他の材料よりなる被処理体に波長２００ｎｍ以下の真空紫外光を照射することにより、当該真空紫外光及びこれにより生成されるオゾンの作用によって被処理体を処理する技術、例えば被処理体の表面に付着した有機汚染物質を除去する洗浄処理技術や、被処理体の表面に酸化膜を形成する酸化膜形成処理技術が開発され、実用化されている。
【０００３】
真空紫外光を照射する装置としては、例えば、エキシマ放電によってエキシマ分子を形成し、当該エキシマ分子から放射される、例えば、波長１７０ｎｍ付近の光を利用するエキシマランプを光源として具えてなるものが用いられている。このようなエキシマランプは、より高強度の紫外線を効率よく放射するために多くの試みがなされている。
【０００４】
図６は、エキシマランプ５１の構成を示す説明用断面図であって、（ａ）放電容器５２の長手方向に沿った断面を示す横断面図、（ｂ）（ａ）におけるＡ−Ａ線断面図である。
特開２００７−３３５３５０公報に記載によると、エキシマランプ５１は、紫外線を透過する合成石英ガラスよりなる放電容器５２を備え、この放電容器５２の外表面に一対の電極５７、５８が設けられており、放電容器５２の放電空間Ｓに曝される表面の一部に、紫外線反射膜５０が形成されている。紫外線反射膜５０としては、シリカ粒子のみからなるもの、および、シリカ粒子を含む紫外線散乱粒子のみからなるものが例示されている。
このエキシマランプ５１において、放電容器５２に、紫外線反射膜５０が形成されていないことにより放電空間Ｓ内で発生した紫外線を出射する光出射部５９が形成されている。
【０００５】
このような構成のエキシマランプ５１によれば、放電容器５２の、放電空間Ｓに曝される表面に、紫外線反射膜５０が設けられていることにより、紫外線反射膜５０が設けられた領域においては、放電空間Ｓ内で発生した紫外線が紫外線反射膜５０によって反射されるので、合成石英ガラスに透過することによる減衰が小さくなる。また、紫外線反射膜５０によって反射され、光出射部５９を構成する領域においてのみ紫外線が石英ガラスを透過して外部に放射されるので、放電空間Ｓ内で発生した紫外線を対象物に効率よく照射することができる。しかも、紫外線反射膜５０がシリカ粒子を主体として構成されていることによって、合成石英ガラスよりなる放電容器５２に対して高い親和性が得られる。
【特許文献１】特開２００７―３３５３５０公報
【発明の開示】
【発明が解決しようとする課題】
【０００６】
紫外線反射膜５０は、長手方向の両端の端面５５の内表面領域にも形成されている。放電容器５２は、その内部を気密空間にして放電空間Ｓを形成しなければならないので、例えば、断面矩形状の筒状形成部材の内表面に紫外線反射膜５０を形成し、予め内表面領域に紫外線反射膜５０が形成された端面形成部材を所定位置に配置し、外側から加熱して溶融封止することによって製作される。したがって、端面形成部材と筒状形成部材との溶着部分は、紫外線反射膜５０が形成された後に高温に加熱されることになる。
【０００７】
紫外線反射膜５０は微小粒子により構成されており、特にシリカ粒子は高温にさらされると溶融し、粒界が消失してしまう。紫外線反射膜５０は、微小粒子の表面で真空紫外光を反射、屈折させることによって拡散反射させるものである。したがって、端面形成部材と筒状形成部材とを溶融封止する際に、加熱により粒界が消失して紫外線反射膜５０の拡散反射させる機能を失う恐れがある。
【０００８】
本発明は、上記問題を解決するためになされたものであって、放電空間内においてエキシマ放電を発生させて真空紫外光を放射するエキシマランプにおいて、放電空間に曝される放電容器の内表面領域に紫外線反射膜を形成しても、拡散反射機能の損失による真空紫外光の利用効率の低下が生じる恐れのないエキシマランプを提供することを目的とする。
【課題を解決するための手段】
【０００９】
本願第１の発明は、放電空間を有するシリカガラスよりなる放電容器を備え、前記放電容器の放電空間に曝される表面に紫外線反射膜が形成され、当該放電容器を形成するシリカガラスが介在する状態で一対の電極が設けられると共に、放電空間内にキセノンガスが封入されてなり、前記放電空間においてエキシマ放電を発生させるエキシマランプにおいて、前記放電容器は端面によって封止され、少なくとも一方の端面において、当該端面から放電空間の内方に離間した位置に内壁板が設けられ、前記内壁板の少なくとも放電空間の中央部側の表面に紫外線反射膜が形成されていることを特徴とする。
また、本願第２の発明は、本願第１の発明において、前記放電容器は、内側管と外側管とが同軸方向に配置された二重管構造の石英ガラスよりなり、表面に紫外線反射膜が形成された支持板が前記放電空間に設けられていることを特徴とする。
また、本願第３の発明は、本願第１の発明または第２の発明において、前記紫外線反射膜は、シリカ粒子を含む紫外線散乱粒子により構成されることを特徴とする。
また、本願第４の発明は、本願第３の発明において、前記紫外線散乱粒子には、アルミナ粒子が含まれることを特徴とする。
【発明の効果】
【００１０】
本願第１の発明に係るエキシマランプによれば、放電容器は端面によって封止され、当該端面から放電空間の内方に離間した位置に、表面に紫外線反射膜が形成されている内壁板が設けられていることによって、内部に気密な放電空間を形成するために端面が加熱溶融されて封止するので、内壁板は加熱されない。そのため、内壁板の表面に形成された紫外線反射膜の拡散反射させる機能は、加熱による損失がない。したがって、管軸方向に進む真空紫外光も内壁板の表面に形成された紫外線反射膜によって有効に利用でき、放電空間で発生する真空紫外光の利用効率が高まる。
【００１１】
また、本願第２の発明に係るエキシマランプによれば、二重管構造の石英ガラスよりなる放電容器を備え、表面に紫外線反射膜が形成された支持板が放電空間に設けられることによって、内側管のたわみを抑制するとともに、支持板の表面に形成された紫外線反射膜により管軸方向における放射照度の均一性の低下を抑制することができる。
【００１２】
また、本願第３の発明に係るエキシマランプによれば紫外線反射膜がシリカ粒子を含む紫外線散乱粒子により構成されていることによって、合成石英ガラスよりなる放電容器に対して高い親和性が得られる。
【００１３】
また、本願第４の発明に係るエキシマランプによれば、紫外線反射膜にアルミナ粒子を含むことにより、互いに隣接するシリカ粒子とアルミナ粒子とが粒子同士で結合されることが防止されて粒界が維持され、紫外線反射膜の反射率の低下を抑制することができる。
【発明を実施するための最良の形態】
【００１４】
第１の実施形態について説明する。図１は、第１の実施形態におけるエキシマランプ１の構成を示す説明用断面図あって、（ａ）放電容器２の長手方向に沿った断面を示す横断面図、（ｂ）（ａ）におけるＡ−Ａ線断面図である。
第１の実施形態に示すエキシマランプ１は、両端が封止されて内部に放電空間Ｓが形成された、断面矩形状で中空長尺状の放電容器２を有する。放電容器２は、真空紫外光を良好に透過する合成石英ガラスにより構成され、放電用ガスとしてキセノンガスが放電空間Ｓに封入されている。ここに、キセノンガスは、常温において圧力が例えば１０〜６０ｋＰａ（１００〜６００ｍｂａｒ）の範囲内となる封入量とされる。
【００１５】
放電容器２は、長尺状の板ガラスよりなる長辺面３ａ、３ｂが互いに向かい合うように配置され、長辺面３ａと長辺面３ｂとをつなぐ短辺面４ａ、４ｂにより断面矩形状の管が形成される。長手方向の両端は、端面５ａ、５ｂにより閉じられ、放電空間Ｓの内部を気密空間としている。放電容器２は、例えば、長手方向の長さが８００〜１６００ｍｍであり、３２０〜６４０ｃｍ３の放電空間Ｓを有している。
【００１６】
また、端面５ａ、５ｂから５ｍｍ〜５０ｍｍ放電空間Ｓの内方に離間した位置に内壁板６が設けられている。板状の内壁板６は、放電容器２に溶着されて固定されているが、少なくとも内壁板６の側面の一部において溶着されておらず、内壁板６と放電容器２との間には隙間が存在する。
【００１７】
放電容器２における長辺面３ａ、３ｂの外表面には、一対の格子状の電極７、８が長尺な方向に伸びるよう対向して形成される。長辺面３ａの外表面には高電圧給電電極として機能する一方の電極７が配置され、長辺面３ｂの外表面には接地電極として機能する他方の電極８が配置される。これにより、一対の電極７、８間に誘電体として機能する合成石英ガラスよりなる放電容器２が介在された状態とされている。このような電極７、８は、例えば、金属よりなる電極材料を放電容器２にペースト塗布することにより、あるいは、プリント印刷することによって形成することができる。
【００１８】
このエキシマランプ１は、一方の電極７に点灯電力が供給されると、誘電体として機能する放電容器２の壁を介して両電極７、８間に放電が生成され、これにより、エキシマ分子が形成されると共にこのエキシマ分子から真空紫外光が放射されるエキシマ放電が生じる。放電用ガスとしてキセノンガスを用いた場合は、波長１７２ｎｍにピークを有する真空紫外線が放出される。
【００１９】
上記エキシマランプ１においては、エキシマ放電によって発生する真空紫外光を効率良く利用するために、放電容器２の放電空間Ｓに曝される表面に、紫外線散乱粒子よりなる紫外線反射膜１０が設けられている。具体的には、放電容器２における長辺面３ａの高電圧給電電極として機能する一方の電極７に対応する内表面領域と、この領域に連続する短辺面４ａ、４ｂの内表面領域とにわたって紫外線反射膜１０が形成されている。さらに、内壁板６の放電空間Ｓの中央部側の表面にも紫外線反射膜１０が設けられている。放電容器２の放電空間Ｓに曝される表面を構成する６面のうち、５面の内表面領域に紫外線反射膜１０が形成されている。
【００２０】
一方、放電容器２における長辺面３ｂの、接地電極として機能する他方の電極８に対応する内表面領域において紫外線反射膜１０が形成されていないことによって光出射部９が構成されている。なお、長辺面３ｂの電極８が形成されていない端部の内表面領域にも紫外線反射膜１０を形成することによって、反射効率を高めることができる。
【００２１】
紫外線反射膜１０は、それ自体が高い屈折率を有する真空紫外光透過性を有するセラミックスよりなる微小粒子、詳しくは、シリカ粒子を含む紫外線散乱粒子により構成される。紫外線散乱粒子をセラミックスにより構成することにより、紫外線反射膜１０から発生する不純ガスの量を低減し、また、放電に耐えられる特性を有する。この紫外線散乱粒子に到達した真空紫外光の一部が粒子の表面で反射されると共に他の一部が屈折して粒子の内部に入射され、さらに、粒子の内部に入射される光の多くが透過され（一部が吸収）、再び、出射される際に屈折される。このような反射、屈折が繰り返し起こる「拡散反射（散乱反射）」をさせる機能を有する。
【００２２】
紫外線反射膜１０を構成する紫外線散乱粒子として、例えば合成石英ガラスを粉末状に細かい粒子としたシリカ粒子などが用いられる。シリカ粒子は、合成石英ガラスより構成され、粒子径が例えば０．０１〜２０μｍの範囲内にあるものであって、中心粒径（数平均粒子径のピーク値）が、例えば０．１〜１０μｍであるものが好ましく、より好ましくは０．３〜３μｍであるものである。また、紫外線反射膜１０に含まれるシリカ粒子の粒径の分布は広範に広がらない方が好ましく、粒径が中心粒径の値となるシリカ粒子が半数以上となるように選別されたシリカ粒子を用いることが好ましい。
【００２３】
紫外線散乱粒子を構成するシリカ粒子が一部溶融すること等によって、紫外線反射膜１０を放電容器２に付着させている。一般に、線膨張係数の値が等しいまたは近似するものは、接着しやすいという性質がある。シリカ粒子は、石英ガラスよりなる放電容器２と線膨張係数の値が等しいため、放電容器２との接着力を高める機能を有する。
【００２４】
一方、シリカ粒子はエキシマランプ１の放電空間Ｓにおいて発生するプラズマの熱によって溶融し、粒界が消失されて、真空紫外光を拡散反射させることができなくなって反射率が低下することがある。紫外線散乱粒子として、シリカ粒子だけでなくアルミナ粒子も含むことにより、プラズマによる熱にさらされた場合であっても、シリカ粒子より高い融点を有するアルミナ粒子は溶融しないため、互いに隣接するシリカ粒子とアルミナ粒子とが粒子同士で結合されることが防止されて粒界が維持され、紫外線反射膜１０の反射率の低下を抑制することができる。
【００２５】
アルミナ粒子は、粒子径が例えば０．１〜１０μｍの範囲内にあるものであって、中心粒径（数平均粒子径のピーク値）が、例えば０．１〜３μｍであるものが好ましく、より好ましくは０．３〜１μｍであるものである。また、紫外線反射膜１０に含まれるアルミナ粒子の粒径の分布は広範に広がらない方が好ましく、粒径が中心粒径の値となるアルミナ粒子が半数以上となるように選別されたアルミナ粒子を用いることが好ましい。
【００２６】
図２は、放電容器２の成形方法を示す説明用断面図である。
直尺で断面矩形状の筒状形成部材１３には、長手方向の端部に内壁板形成部材１４が形成されている。４面を有する筒状形成部材１３の少なくとも１面において、内壁板形成部材１４との間に隙間ができるように、内壁板形成部材１４が筒状形成部材１３に固定されている。内壁板形成部材１４を筒状形成部材１３に固定した後、コート液を流し込んで紫外線反射膜１０を内表面領域に形成する。
【００２７】
内壁板形成部材１４と筒状形成部材１３との間には隙間が存在するので、筒状形成部材１３の長手方向の端部からコート液を流し込むことにより、内壁板形成部材１４と筒状形成部材１３との隙間からコート液が筒状形成部材１３の中央部に入り、内表面領域に満たすことができる。筒状形成部材１３の側面を形成する４面のうち３面の内表面領域に紫外線反射膜１０が形成され、内壁板形成部材１４の筒状形成部材１３の中央部側の表面にも紫外線反射膜１０が形成されている。
【００２８】
予め、紫外線反射膜１０が形成された状態の筒状形成部材１３の端部に、端面形成部材１５を配置する。筒状形成部材１３と端面形成部材１５との当接部分が、図に示す矢印の方向からバーナーで加熱され、溶融封止される。端面形成部材１５によって筒状形成部材１３を封止し、内部に放電空間Ｓを形成する。筒状形成部材１３および端面形成部材１５は、その構成材料である合成石英ガラスが溶融する程度、すなわち、１０００℃程度まで加熱される。したがって、筒状管形成部材１３や端面形成部材１５の当接部分の近傍に紫外線反射膜２０が形成されている場合は、紫外線反射膜２０を構成するシリカ粒子も溶融して、粒界が消失して拡散反射させる機能を失う恐れがある。
【００２９】
しかしながら、図１に示すように、放電容器２の長手方向端部は電極７、８も形成されておらず、真空紫外光が放射される発光部分は、放電空間Ｓの中央側になる。したがって、放電容器２の端部において紫外線反射膜１０の拡散反射させる機能を失っても、元々真空紫外光が当たらない部分なので、紫外線反射膜１０によって高められた真空紫外光の利用効率は維持され、エキシマランプ１から放射される真空紫外光の放射強度は低下しない。
【００３０】
さらに、内壁板６の表面、特に、放電空間Ｓの中央部側の表面に紫外線反射膜１０が形成されているため、放電容器２の管軸方向に進む真空紫外光は、内壁板６の表面に形成された紫外線反射膜１０によって拡散反射される。放電容器２の端部から外へ向かう方向に進む真空紫外光を、内壁板６の表面に形成された紫外線反射膜１０によって放電空間Ｓの中央側に留め、紫外線反射膜１０を形成したとしても拡散反射機能が失われる溶融封止部分には、真空紫外光がより効果的に当たらないようにすることができる。
【００３１】
しかも、溶融封止することによって内部に気密な放電空間Ｓを形成しても、筒状形成部材１３と端面形成部材１５との溶着部分が加熱溶融されて封止するので、内壁板形成部材１４は加熱されない。そのため、内壁板６の表面に形成された紫外線反射膜１０の拡散反射させる機能は、加熱による損失がない。したがって、管軸方向に進む真空紫外光も内壁板６の表面に形成された紫外線反射膜１０によって有効に利用でき、放電空間Ｓで発生する真空紫外光の利用効率が高まる。
【００３２】
なお、第１の実施形態においては、紫外線反射膜１０を形成した後、放電容器２の両方の端部で端面５ａ、５ｂを溶着して気密な放電空間Ｓを形成しているが、放電容器２の一方の端部でのみ端面５ｂを溶着することができる。例えば、一方の端面形成部材１５が溶着された有底筒状の筒状形成部材１３の内表面領域に、一方の端面形成部材１５の内表面領域も含めて紫外線反射膜１０を形成し、その後、他方の端面形成部材１５を溶融封止する。
【００３３】
このように成形すれば、先に溶着された一方の端面形成部材１５は紫外線反射膜１０が形成された後に加熱されないので、紫外線反射膜１０に加熱による損失が生じない。したがって、他方の端部においてのみ内壁板６を形成してその表面に紫外線反射膜１０を形成する場合でも、管軸方向に進む真空紫外光を紫外線反射膜１０によって有効に拡散反射でき、放電空間Ｓで発生する真空紫外光の利用効率が高められる。
【００３４】
第２の実施形態について説明する。図３は、第２の実施形態におけるエキシマランプ２１の構成を示す説明用断面図であって、（ａ）放電容器２２の長手方向に沿った断面を示す横断面図、（ｂ）（ａ）におけるＡ−Ａ線断面図である。
エキシマランプ２１は、円筒状の外側管２３と円筒状の内側管２４とよりなる放電容器２２を有する。放電容器２２は、真空紫外光を良好に透過する合成石英ガラスより構成され、例えば、管軸方向の長さが８００〜１６００ｍｍであり、外側管２３の直径が２５〜４０ｍｍであり、内側管２４の直径が１５〜３０ｍｍとなっている。
【００３５】
内側管２４の直径は外側管２３の直径より小さくなるように構成されており、外側管２３の内部に内側管２４が配置されている。外側管２３の管軸に沿って内側管２４が配置されるので、放電容器２２は外側管２３と内側管２４とが同軸方向に配置された二重管構造となっている。外側管２３の端部と内側管２４の端部とを溶着することによって端面２５が形成され、外側管２３の内周面２３ａと内側管２４の外周面２４ｂとの間が気密空間となり、放電容器２２の内部に気密に閉塞された環状の放電空間Ｓが形成されている。
【００３６】
放電容器２２の管軸に対して垂直方向に、端面２５から５ｍｍ〜５０ｍｍ放電空間Ｓの内方に離間した位置に内壁板２６が設けられている。リング状の内壁板２６は、内側管２４の外周面２４ｂに溶着されて固定されているが、外側管２３の内周面２３ａには溶着されておらず、内壁板２６と外側管２３との間には隙間が存在する。
【００３７】
外側管２３には、外周面２３ｂに密接して、例えば金網などの導電性材料よりなる網状の外側電極２７が設けられる。外側電極２７は、金属線をシームレスに円筒状に編んだものの中に放電容器２２を挿入したもので、網状の形状をなし、網目の間から光を放射することができる。
内側管２４には、内周面２４ａに密接して、例えばアルミニウムよりなる、パイプ状の内側電極２８が設けられている。内側電極２８は、内側管２４の管軸方向に沿って形成されるが、管軸方向両端から約２０ｍｍの範囲においては内側電極２８が設けられていないクリアランスが形成されている。なお、内側電極２８は、断面において一部に切り欠きを有する概略Ｃ字状（樋状）であってもよい。
【００３８】
外側電極２７と内側電極２８とは、放電容器２２を構成する石英ガラスを挟んで、互いに向かい合うように配置されている。このように構成することにより、放電容器２２を構成する石英ガラスが誘電体としての機能も果たしている。また、放電容器２２の放電空間Ｓには、放電用ガスとして、キセノンガスが封入されている。
【００３９】
外側電極２７と内側電極２８との間に高周波高電圧が供給されると、誘電体として機能する石英ガラスよりなる放電容器２２を介在させて両電極間に放電が生成される。周囲の部材への漏電防止のため、エキシマランプ２１の外部に露出して配置される外側電極２７を接地電極とし、エキシマランプ２１の内部に配置される内側電極２８を高電圧供給電極とすることが好ましい。
放電空間Ｓには放電用ガスが封入されているので、外側電極２７と内側電極２８との間の放電によってエキシマ分子を形成するとともに、このエキシマ分子から真空紫外光が放射されるエキシマ放電が生じる。
【００４０】
上記エキシマランプ２１は、エキシマ放電によって発生する真空紫外光を効率良く利用するために、放電容器２２の放電空間Ｓに曝される表面に、紫外線散乱粒子よりなる紫外線反射膜２０が設けられている。一方、外側管２３は、紫外線反射膜２０が形成されていないことによって、放電空間Ｓで生じた真空紫外線を放電容器２２の外部に照射するための光出射部２９が構成されている。なお、外側管２３の内周面２３ａまたは外周面２３ｂの一部に紫外線反射膜２０を形成して、真空紫外光の利用効率を高めることもできる。
【００４１】
放電容器２２の管軸に対して垂直方向に形成された表面のうち、内壁板２６の表面には紫外線反射膜２０が形成されている。放電空間Ｓの内部に発生する真空紫外光を拡散反射して有効利用するために、特に、内壁板２６の放電空間Ｓの中央部側の表面に紫外線反射膜２０が形成されていることが好ましい。
一方の端部において、端面２５と内壁板２６との間にゲッター３１が配置されている。ゲッター３１は、例えば、アルミニウムとジルコニウムとの合金よりなり、放電空間Ｓの内部に存在する不純ガス、例えば酸素、水素、一酸化炭素、水などを吸着する機能を有する。ゲッター３１を配置することにより、不純ガスによる放射強度の低下を抑制する効果がある。
【００４２】
図４は、放電容器２２の成形方法を示す説明用断面図であって、（ａ）内側管形成部材３４を示す断面図、（ｂ）端面形成部材３５と外側管形成部材３３とを溶融封止する状態を示す断面図である。
図４（ａ）に示すように、内側管形成部材３４の端部には、外表面から周方向外方に突出するように、リング状の端面形成部材３５と内壁板形成部材３６とが形成されている。詳しくは、円筒状の内側管形成部材３４をバーナーで加熱して変形させることにより端面形成部材３５が成形されている。このように成形することによって、内側管形成部材３４と端面形成部材３５との間に隙間が生じることがなく、気密な放電空間Ｓを形成しやすくしている。また、リング状の内壁板形成部材３６は、内側管形成部材３４に挿通されて所定位置で溶着されている。内壁板形成部材３６と内側管形成部材３４との接合部は外部から加熱しにくい形状であるが、内壁板形成部材３６は内側管形成部材３４に固定されていれば良く、気密に接続する必要はないので、一部に未溶着部分があっても許容できる。
【００４３】
なお、端面形成部材３５と内壁板形成部材３６とを外側管形成部材３３に溶着させて構成することもできるが、組立工程を考慮すると、上述のように内側管形成部材３４に溶着させる方が好ましい。内側管形成部材３４に端面形成部材３５と内壁板形成部材３６とが形成された状態で、外側管形成部材３３の内部に挿入し、両者を端部で接合することになるので、内側管形成部材３４に端面形成部材３５と内壁板形成部材３６とが固定されている方が、外側管形成部材３３の内部への挿入がスムーズに行われるからである。
【００４４】
図４（ｂ）に示すように、端面形成部材３５と内壁板形成部材３６とが形成された内側管形成部材３４について、内側管形成部材３４の外周面と内壁板形成部材３６の表面に紫外線反射膜２０が形成されている。また、必要に応じて、外側管形成部材３３の内周面又は外周面、並びに、端面形成部材３５の表面にも紫外線反射膜を形成することができる。
予め、必要な領域に紫外線反射膜２０が形成された状態で、端面形成部材３５と内壁板形成部材３６とが形成された内側管形成部材３４が、外側管形成部材３３の内部に挿入されている。
【００４５】
外側管形成部材３３と端面形成部材３５との当接部分が、図に示す矢印の方向からバーナーで加熱され、溶融封止される。外側管形成部材３３および端面形成部材３５の構成材料である合成石英ガラスが溶融する程度、すなわち、１０００℃程度まで加熱される。
【００４６】
しかし、溶融封止することによって内部に気密な放電空間Ｓを形成しても、外側管２３と端面２５との溶着部分が加熱溶融されて封止するので、内壁板２６は加熱されない。そのため、内壁板２６の表面に形成された紫外線反射膜２０の拡散反射させる機能は、加熱による損失がない。したがって、管軸方向に進む真空紫外光も内壁板２６の表面に形成された紫外線反射膜２０によって有効に利用でき、放電空間Ｓで発生する真空紫外光の利用効率が高まる。
【００４７】
第３の実施形態について説明する。図５は、第３の実施形態におけるエキシマランプ２１の構成を示す説明用断面図である。
第３の実施形態に示すエキシマランプ２１は、一方の端部のみが封止されてリング状の端面２５を形成し、他方の端部は、外側管２３を閉じる円盤状の外壁部３７と内側管２４を閉じる円盤状の内壁部３８が形成されたコ字状となる二重管構造の放電容器２２を有する。放電容器２２は、一方の端部において、外側管２３と内側管２４とが端面２５によって接合されているが、他方の端部において、外側管２３が外壁部３７に閉じられ、内側管２４が内壁部３８に閉じられ、外側管２３と内側管２４とが連接されていない。
【００４８】
放電容器２２の管軸に対して垂直方向に、端面２５から５ｍｍ〜５０ｍｍ放電空間Ｓの内方に離間した位置に内壁板２６が設けられている。リング状の内壁板２６は、内側管２４の外周面２４ｂに溶着されて固定されているが、外側管２３の内周面２３ａには溶着されておらず、内壁板２６と外側管２３との間には隙間が存在する。
【００４９】
放電空間Ｓにおいて、対向する外側管２３と内側管２４との間にリング状の支持板３９が複数設けられている。放電容器２２が軸方向に長い長尺状のエキシマランプ２１において、端部でのみ固定されている内側管２４がたわむことがある。しかし、内側管２４がたわんでも支持板３９によって支持されるので、一定以上に内側管２４がたわむことがない。したがって、内側管２４がたわむことによる端面２５への応力集中を低減し、放電容器２２の破損を防止することができる。
【００５０】
支持板３９は、内側管２４の外周面２４ｂに溶着されて固定されているが、外側管２３の内周面２３ａには溶着されておらず、内壁板２６と外側管２３との間には隙間が存在する。なお、支持板３９を外側管２３に溶着させて構成することもできるが、組立工程を考慮すると内側管２４に溶着させる方が好ましい。
【００５１】
外側管２３には、外周面２３ｂに密接して外側電極２７が設けられ、内側管２４には、内周面２４ａに密接して内側電極２８が設けられている。外側電極２７と内側電極２８とは、放電容器２２を構成する石英ガラスを挟んで、互いに向かい合うように配置されている。また、放電容器２２の放電空間Ｓには、放電用ガスとして、キセノンガスが封入されている。外側電極２７と内側電極２８との間に高周波高電圧が供給されると、真空紫外光が放射されるエキシマ放電が生じる。
【００５２】
内側管２４の外周面２４ｂ、内壁板２６の放電空間Ｓの中央部側の表面、および、支持板３９の表面に、紫外線散乱粒子よりなる紫外線反射膜２０が設けられている。溶融封止することによって内部に気密な放電空間Ｓを形成しても、外側管２３と端面２５との溶着部分が加熱溶融されて封止するので、内壁板２６は加熱されない。そのため、内壁板２６の表面に形成された紫外線反射膜２０の拡散反射させる機能は、加熱による損失がない。したがって、管軸方向に進む真空紫外光も内壁板２６の表面に形成された紫外線反射膜２０によって有効に利用でき、放電空間Ｓで発生する真空紫外光の利用効率が高まる。
【００５３】
支持板３９が配置されている部分では放電が形成されず、加えて、支持板３９が光出射部２９の影になり、放射光量が低下することが問題になる。しかし、支持板３９の表面に形成された紫外線反射膜２０が他の発光部分からの光を拡散反射することにより、支持板３９の直下における放射光量を補う。支持板３９を配置することにより内側管２４のたわみを抑制するとともに、支持板３９の表面に紫外線反射膜２０を形成することにより管軸方向における放射照度の均一性の低下を抑制することができる。
【図面の簡単な説明】
【００５４】
【図１】本発明のエキシマランプの構成を示す説明用断面図
【図２】本発明の放電容器の成形方法を示す説明用断面図
【図３】本発明のエキシマランプの構成を示す説明用断面図
【図４】本発明の放電容器の成形方法を示す説明用断面図
【図５】本発明のエキシマランプの構成を示す説明用断面図
【図６】従来のエキシマランプの構成を示す説明用断面図
【符号の説明】
【００５５】
１                エキシマランプ
２                放電容器
３ａ、３ｂ        長辺面
４ａ、４ｂ        短辺面
５ａ、５ｂ        端面
６                内壁板
７、８            電極
９                光出射窓
１０              紫外線反射膜
【図１】
2009230868.tif 000003
【図２】
2009230868.tif 000004
【図３】
2009230868.tif 000005
【図４】
2009230868.tif 000006
【図５】
2009230868.tif 000007
【図６】
2009230868.tif 000008